(57)【特許請求の範囲】
【請求項１】
横断の可否を示す第１表示部と残時間を示す複数の第２表示部とを有するマスクと、前記第１表示部に光を照射する第１光源と、前記第２表示部にそれぞれ対応して設けられて独立して点灯制御される複数の第２光源とを有する歩行者用信号ユニットにおいて、
遮光部材からなり、前記第２光源ごとに仕切られた導光領域を有する筐体と、
前記筺体の前記第２表示部に対向する表面側に、前記導光領域を通過した光を透過する透光部と、を備え、
前記第２光源がそれぞれ前記各導光領域を介して対応する第２表示部に光を照射し、
前記透光部は、前記導光領域それぞれに嵌め込まれた光出射部と、前記光出射部を前記筺体の外側で連結する連結部とを備えた歩行者用信号ユニット。
【請求項２】
前記連結部は、
前記光出射部にそれぞれ一端が連結され、他端が前記筐体の外側に延在する第１延伸部と、
一端が前記第１延伸部の他端にそれぞれ連結され、他端が前記筐体の裏面側にそれぞれ延在する第２延伸部と、
前記第２延伸部の他端がそれぞれ連結される連結バーと、
を備えることを特徴とする請求項１記載の歩行者用信号ユニット。
【請求項３】
前記筺体は、前記導光領域の開口部にそれぞれ切欠部を有し、該切欠部に前記第1延伸部がはめ込まれている請求項２に記載の歩行者用信号ユニット。
【請求項４】
前記第１表示部は前記マスクの中央部に設けられ、前記複数の第２表示部は前記マスクの周辺部に設けられており、前記第１延伸部が外側に向かって延在している請求項２又は３に記載の歩行者用信号ユニット。
【請求項５】
前記第１光源及び前記第２光源は、一基板上に配置されていることを特徴とする請求項１〜４のうちのいずれか１つに記載の歩行者用信号ユニット。
【請求項６】
前記第１光源は、第１表示部に対応する形状に配置された発光ダイオードからなる請求項５に記載の歩行者用信号ユニット。
【発明の詳細な説明】
【技術分野】
【０００１】
本発明は歩行者用信号ユニットに関する。
【背景技術】
【０００２】
近年、横断の可否だけでなく、残時間（信号待ちの時間）を表示することができる歩行者用信号機が提案されている（例えば特許文献１）。
特許文献１に記載される歩行者用信号機は、人形図柄を点灯又は消灯させることにより横断の可否を表示することができる「人形図柄透光部」と、その左右両側に点灯形態を時間の経過に伴って変化させて残時間を表示可能な「残時間表示用透光部群」と、を備える。
【先行技術文献】
【特許文献】
【０００３】
【特許文献１】特開２００６−９２５１２号公報
【発明の概要】
【発明が解決しようとする課題】
【０００４】
しかし、従来の歩行者用信号機では、例えば１つの「残時間表示用透光部」を点灯させたときに、それに隣接する他の「残時間表示用透光部」に光が漏れてしまうという問題があった。つまり、本来は任意の「残時間表示用透光部」のみを点灯させ他の「残時間表示用透光部」は点灯させないことによりコントラストの高い高品質な表示が可能となるが、従来の信号機では「残時間表示用透光部」間の遮光機能が十分でないために、高品質な表示を行うことができなかった。
【０００５】
本発明は上記問題に鑑みてなされたものであり、点灯させる表示部と点灯させない表示部間におけるコントラストが高く高品質な表示が可能な歩行者用信号機を提供することを課題とする。
【課題を解決するための手段】
【０００６】
以上の目的を達成するために、本発明に係る歩行者用信号ユニットは、横断の可否を示す形状の第１表示部と複数の第２表示部とを有するマスクと、前記第１表示部に光を照射する第１光源と、前記第２表示部にそれぞれ対応して設けられて独立して点灯制御される複数の第２光源とを有する歩行者用信号ユニットにおいて、
遮光部材からなり、前記第２光源ごとに仕切られた導光領域を有する筐体を備え、
前記第２光源がそれぞれ前記各導光領域を介して対応する第２表示部に光を照射する。
以上のように構成された本発明に係る歩行者用信号ユニットは、前記第２光源ごとに仕切られた導光領域を有する筐体を備え、前記第２光源がそれぞれ前記各導光領域を介して対応する第２表示部に光を照射するので、隣接する第２表示部間における光の漏れをなくすことができる。
【０００７】
本発明に係る歩行者用信号ユニットは、前記筺体の前記第２表示部に対向する表面側に、前記導光領域を通過した光を透過する透光部を備えていてもよい。
【０００８】
また、前記透光部は、前記導光領域の開口部にそれぞれに嵌め込まれた光出射部と、前記光出射部を前記筺体の外側で連結する連結部とを備えていることが好ましく、これにより、前記光出射部を導光領域ごとに分離することができるので、透光部を介して隣接する第２表示部に漏れる光をさらに少なくすることができる。
【０００９】
さらに、前記連結部は、前記光出射部にそれぞれ一端が連結され、他端が前記筐体の外側に延在する第１延伸部と、一端が前記第１延伸部の他端にそれぞれ連結され、前記筐体の側面に沿ってそれぞれ延在する第２延伸部と、前記第２延伸部の他端がそれぞれ連結される連結バーと、を備えていることが好ましい。
これにより、前記連結部を介して伝搬する光を少なくでき、透光部を介して隣接する第２表示部に漏れる光をよりいっそう少なくすることができる。
【００１０】
前記筺体は、前記導光領域の開口部にそれぞれ切欠部を有し、該切欠部に前記第1延伸部がはめ込まれていることが好ましい。これにより、筐体の開口部端における段差をなくすことが可能になる。
【００１１】
前記第１表示部は前記マスクの中央部に設けられ、前記複数の第２表示部は前記マスクの周辺部に設けられており、前記第１延伸部が外側に向かって延在していることが好ましい。
【００１２】
前記第１光源及び前記第２光源は、一基板上に配置するようにしてもよい。
【００１３】
前記第１光源は、第１表示部に対応する形状に配置された発光ダイオードにより構成するようにしてもよい。
【発明の効果】
【００１４】
以上説明したように、本発明によれば、前記第２光源ごとに仕切られた導光領域を有する筐体を備え、前記第２光源がそれぞれ前記各導光領域を介して対応する第２表示部に光を照射するので、隣接する第２表示部間における光の漏れをなくすことができるので、点灯させる表示部と点灯させない表示部間におけるコントラストが高く高品質な表示が可能な歩行者用信号機を提供することができる。
【図面の簡単な説明】
【００１５】
【図１】本発明に係る実施形態の歩行者用信号ユニットの斜視図である。
【図２】実施形態の歩行者用信号ユニットの分解図である。
【図３】実施形態の歩行者用信号ユニットにおける筺体及び第２透光部を説明するための図である。
【図４】実施形態の歩行者用信号ユニットの光の伝搬を説明するための図である。
【発明を実施するための形態】
【００１６】
以下、本発明に係る歩行者用信号ユニットを実施するための形態について、図面を参照しながら説明する。ただし、以下に示す形態は、本発明の技術思想を具体化するための例示であって、特に記載しない限り本発明を以下に限定するものではない。さらに、同一の名称、符号については、原則として同一もしくは同質の部材を示しており、詳細説明は適宜省略する。
【００１７】
＜実施形態＞
本実施形態に係る歩行者用信号ユニット１００の斜視図を図１に、分解図を図２に示す。図３は、図２における筺体４０及び第２透光部５２の拡大図である。図４は、第２透光部５２内における光の伝搬経路を説明するための図である。
【００１８】
本実施形態に係る歩行者用信号ユニット１００は、横断の可否を表示するための第１表示手段１００ａと、残時間を表示するため第２表示手段１００ｂと、を備える。
具体的には、実施形態の歩行者用信号ユニット１００は、横断の可否を示す第１表示部６０ａが形成された第１領域と残時間を示す複数の第２表示部６０ｂが配列された第２領域とを有するマスクを備え、
（１）第１表示手段１００ａは、第１領域と、第１表示部６０ａに光を照射する第１光源３１とを含んで構成され、
（２）第２表示手段１００ｂは、第２領域と、第２表示部６０ｂにそれぞれ対応して設けられて独立して点灯制御される複数の第２光源３２と、前記第２光源ごとに仕切られた導光領域を有する遮光部材からなる筐体４０とを含み、第２光源３２がそれぞれ各導光領域を介して対応する第２表示部６０ｂに光を照射する。
ここで、第１領域とは光を透過させる第１表示部６０ａとその周りの遮光部とを含む領域であり、第２領域とはそれぞれ光を透過させる複数の第２表示部６０ｂとその周り遮光部を含む領域であり、本実施形態では、第２領域は第１領域の外側に設けられる。
【００１９】
以上のように構成された実施形態の歩行者用信号ユニットは、第２光源３２の光が第２光源３２ごとに遮光部材で仕切られた導光領域に閉じ込められた状態で対応する第２表示部６０ｂに照射される。これにより、隣接する第２表示部６０ｂ間における光の漏れをなくすことができ、マスク６０の第２領域においてコントラストの高い高品質な表示が可能になる。
【００２０】
また、本実施形態では、第２表示手段１００ｂにおいて、筺体４０の表面側（観測面側）には第２透光部５２が設けられている。そして、第２透光部５２は、導光領域４０ａの開口部のそれぞれに嵌められ第２光源３２からの光を表面側に出射可能な複数の光出射部５２ａと、光出射部５２ａのそれぞれから筺体４０の外側に延在する複数の第１延伸部５２ｂと、第１延伸部５２ｂのそれぞれから裏面側に延在する複数の第２延伸部５２ｃと、第２延伸部５２ｃのそれぞれを連結する連結バー５２ｄと、を備える。
これにより、第２透光部５２の取り扱いが容易となると共に、隣接する光出射部５２ａ間においてより明暗のはっきりした（コントラストの高い）高品質な表示が可能な歩行者用信号ユニットとすることができる。この点について、以下、詳細に説明する。
【００２１】
第２透光部５２の取り扱いを容易にするためには、第２光源３２からの光を透過可能な部材を用いて複数の光出射部５２ａを一体に形成すればよい。一方、光出射部５２ａ間の明暗をはっきりさせるには、所定の導光領域４０ａに割り当てられた第２光源３２からの光が隣接する他の導光領域４０ａまで伝わらないように各導光領域４０ａ内に光出射部５２ａを嵌め込めばよい。しかし、単純に複数の光出射部５２ａを一体に形成し、各導光領域４０ａ内に光出射部５２ａを嵌めても、連結部を介して、点灯状態にある光出射部５２ａから非点灯状態にある隣接する他の光出射部５２ａまで光が伝搬してしまう可能性がある。光出射部５２ａを構成する部材は透光性を有するので、その内部を光が伝搬するからである。
【００２２】
そこで本発明のより好ましい実施形態では、まず、導光領域４０ａに光出射部５２ａを嵌めることで筐体４０の遮光部材により光出射部５２ａ間を遮光して経路Ｒ１における光の伝搬を防止している（図４参照）。そしてさらに、第１延伸部５２ｂを連結バー５２ｄに直接接続するのではなく、第１延伸部５２ｂと連結バー５２ｄとの間に第２延伸部５２ｃを介在させることにより、第２透光部５２内における光の伝搬を効果的に抑制している。
【００２３】
つまり、第２延伸部５２ｃを介在させずに第１延伸部５２ｂと連結バー５２ｄを直接接続した場合、第２透光部５２内部の光は経路Ｒ２、経路Ｒ４及び経路Ｒ２’を経て、点灯状態にある所定の光出射部５２ａから隣接する非点灯状態にある他の光出射部５２ａに伝搬される。この場合は、光路長が比較的短くなるので光が伝搬し易くなり、本来光っていないはずの光出射部５２が弱く光っているように見えてしまうことがある。そこで、本実施形態では、より高い表示品質を確保するために、第１延伸部５２ｂと連結バー５２ｄとの間にさらに第２延伸部５２ｃを介在させるようにしている。この場合は理論上、第２透光部５２内部の光は経路Ｒ２、経路Ｒ３、経路Ｒ４、経路Ｒ３’及び経路Ｒ２’を経て、所定の光出射部５２ａから隣接する他の光出射部５２ａに伝搬されることになるが（図４参照）、上記場合と比較して経路Ｒ３及び経路Ｒ３’だけ光路長が長くなるので、光が伝搬している間にその強度が格段に弱くなり、隣接する他の光出射部５２ａまで光を伝搬し難くすることができる。以下、信号ユニット１００を構成する主な構成要素について説明する。
【００２４】
（ケース１０）
ケース１０には、基板２０、筺体４０、第１透光部５１、第２透光部５２及びマスク６０が収容される。ケース１０は、表面側が開口しており、開口部分には後述するカバー７０が嵌め込まれる。ケース１０を構成する材料は特定のものに限られないが、例えば、ABS樹脂を用いることができる。
【００２５】
（基板２０）
第１光源３１及び第２光源３２を実装するためのものであり、一般的には配線パターンが多層に設けられたプリント基板が用いられる。第１光源３１を配置させるための基板と第２光源３２を配置させるための基板とを別部材とすることもできるが、部品点数を削減するため、本実施形態のように共通の基板とすることが好ましい。
【００２６】
（第１光源３１及び第２光源３２）
第１光源３１及び第２光源３２としては種々のものを用いることができるが、本実施形態では、第１光源３１及び第２光源３２としてＬＥＤを用いた。第１光源３１及び第２光源３２の発光色は限定されないが、ここでは第１光源３１の発光色を青緑色、第２光源３２の発光色を赤色としている。
【００２７】
基板２０の中央部分には、複数の第１光源３１が配置されて、横断の可否を表示可能な形状に発光するように構成されている。本実施形態では、横断可能な形状に複数の第１光源３１が配置されている（図２参照）。
【００２８】
基板２０の左右両側には、複数の第２光源３２が配置されて、信号待ちの残り時間（残時間）を表示することができるように構成されている（図２参照）。本実施形態では、それぞれの第２光源３２が２個のＬＥＤで構成されており、基板２０の左右両側には上下方向に複数の第２光源が並んでいる。第２光源が設けられる部位は後述する筺体４０の各導光領域４０ａに対応しており、第２光源からの光は筺体４０の各導光領域４０ａの開口部から取り出される。
【００２９】
第２光源３２の点灯方法は限定されないが、例えば残時間が最も長い時に左右に配置された全ての第２光源３２を点灯させ、残時間が短くなるにつれて上方から下方に向かって順に消灯させるようにしている。さらに、第２光源３２を基板２０の左右に設ける場合、左右の第２光源３２は同じタイミングで同じ様に駆動するのが一般的である。ただ、例えば、左右の全ての第２光源３２が点灯している状態から、一方の側（例えば左側の第２光源３２）を上方から順に消灯させて、続いて他方（例えば右側の第２光源３２）を上方から順に消灯させてもよい。
【００３０】
（筺体４０）
筺体４０は、表面側に複数の開口部を有する導光領域４０ａが設けられており、第２光源３２からの光を遮光可能な遮光部材により構成される。図３に示すように、本実施形態では、筺体４０は、外枠となる枠部４１と、枠部４１により囲まれた領域を複数の領域に分割する分割部４２と、を有し、表裏方向に貫通するように導光領域４０ａが設けられ、表面側の開口部に対応して裏面側にも開口部（図示せず）が設けられている。これら貫通部（導光領域）の低部に基板２０上に配置された第２光源３２が配置されることにより、第２光源３２からの光を貫通部（導光領域）を通過した光を開口部を介して取り出すことが可能となる。ここで、「第２光源３２からの光を遮光可能」とは、第２光源３２からの光を完全に遮光できることを意味するのではなく、好ましくは８０％以上、より好ましくは９０％以上、さらに好ましくは９５％以上で遮光できていればよい。筺体４０を構成する材料は限定されないが、例えば、暗黒色のABS樹脂を用いることができる。
【００３１】
図３に示すように、筺体４０は筺体４０の一部が表示面側から切欠かれた切欠部４０ｂを導光領域４０ａの開口部それぞれに有しており、図４に示すように、第１延伸部５２ｂが切欠部４０ｂを通って筺体４０の外側に延在していることが好ましい。これにより、よりシンプルな構成で第１延伸部５２ｂを筺体４０の外側まで延在させることができる。
【００３２】
図３に示すように、本実施形態の筺体４０は各導光領域４０ａ内に支持部４３を有する。ここでは、分割部４２に支持部４３が設けられており、後述する光出射部５２ａを支持するように構成される。これにより、筺体４０と第２透光部５２を組み立てる際に、光出射部５２ａが導光領域４０ａ内に必要以上に深く配置されないようにすることができる。
【００３３】
図３に示すように、本実施形態の筺体４０は位置決めのための突起部４４を備える。基板２０に予め設けられた凹部又は開口部（図示せず）に突起部４４を挿入することで、両者の位置決めを容易に行うことができる。
【００３４】
図３に示すように、本実施形態の筺体４０は基板に固定するために固定部４５を備える。本実施形態では、固定部４５は、第１表示手段１００ａから遠い側に設けられた引掛部からなる第１固定部（図３で示す符号４５）と、第１表示手段１００ａから近い側に設けられたビスによる第２固定部（図３では紙面の奥行き方向にあるので見えない。図２参照。）と、を有する。つまり、先ず第１固定部を基板２０の開口部（図示せず）に挿入して仮固定し、次に第２固定部をビスにて基板２０と固定する（基板２０のビス穴は図示していない）。これにより、用いるビスの数を減らすことができる。
【００３５】
本実施形態では、筺体４０を表裏方向に貫通させて導光領域４０ａとしたが、筺体４０の裏面側を塞ぐこともできる。しかし、その場合は第１光源３１用の基板と、第２光源３２用の基板と、を別々に準備して、導光領域４０ａの低部に第２光源３２が実装された基板を配置する必要がある。
【００３６】
（第１透光部５１）
第１透光部５１は、第１光源３１からの光を表面側に透光するものである。本実施形態では第１光源３１からの光がより均一に観測できるように、拡散材を含有させたＰＣ（ポリカーボネート）を用いて第１透光部５１としている。これにより、第１透光部５１は透明ではなく半透明となっており、その色は無色ではなく白濁色となっている。
【００３７】
本実施形態のように第１透光部５１は、後述する第２透光部５２と別に設けることが好ましい。第１透光部５１と第２透光部５２とを一体に形成すると、第１光源３１からの光が透光部内を伝搬して第２透光部５２が点灯しているように見えたり、第２光源３２からの光が透光部内を伝搬して第１透光部５１が点灯しているように見えるからである。
【００３８】
（第２透光部５２）
第２透光部５２は、上述したように、導光領域４０ａの開口部それぞれに嵌められ第２光源３２からの光を表面側に出射可能な複数の光出射部５２ａと、光出射部５２ａのそれぞれから筺体５２の外側に延在する複数の第１延伸部５２ｂと、第１延伸部５２ｂのそれぞれから裏面側に延在する複数の第２延伸部５２ｃと、第２延伸部５２ｃのそれぞれを連結する連結バー５２ｄと、を備える。光出射部５２ａ、第１延伸部５２ｂ、第２延伸部５２ｃ及び連結バー５２ｄは同一材料で一体に形成されている。
【００３９】
本実施形態では、例えば、第２光源３２からの光がより均一に観測できるように、拡散材を含有させたＰＣを用いて第２透光部５２を構成する（第１透光部５１と同様である。）。これにより、第２透光部５２は完全な透明ではなく半透明となっており、その色は無色ではなく白濁色となっている。
【００４０】
光出射部５２ａは、筺体４０と第２透光部５２とを組み立てた状態でそれを横から見たときに、その上面（表示面側表面）が筺体４０の上面から突出していないことが好ましい（つまり、光出射部５２ａの上面は枠部４１及び分割部４２（切欠部４０ｂを除く）の上面と実質的に同じ高さかそれよりも低い（裏面側に位置する）ことが好ましい。）。光出射部５２ａから筺体４０の外部に第２光源３２からの光が漏れるのを防ぐためである。
【００４１】
第１延伸部５２ｂは、第１光源３１から遠い側に延在させることが好ましい（図２及び図３参照）。第１延伸部５２ｂを第１光源３１に近い側の筺体４０外部に延在させると、第１延伸部５２ｂだけでなく第２延伸部５２ｃ及び連結バー５２ｄも必然的に第１光源３１に近い側の筺体４０外部に位置することになるので、第１光源３１からの光がそれらの内部を伝搬して光出射部５２ａに届いてしまうからである。
【００４２】
第２延伸部５２ｃは、第１延伸部５２ｂの先端部から筺体４０の側面に沿うように裏面側（裏面方向）に延在させることができる（図３参照）。これにより、全体として小型の歩行者用信号ユニットとすることができる。第２延伸部５２ｃを筺体４０の側面から離して設けると、歩行者用信号ユニットとして幅が大きくなり全体として大型になるので好ましくない。
【００４３】
本実施形態では、連結バー５２ｄは、切欠部４０ｂを通る第１延伸部５２ｂを支点として光出射部５２ａが筺体４０から浮かないように、筺体４０との位置関係が決められている。つまり、光出射部５２ａが導光領域４０ａ内に所望の配置で収まっているとき、連結部５２ｂは筺体４０と当接されているかその近傍となるように構成されている。これにより、組立時において筺体４０と第２透光部５２との位置関係を容易に維持することができる。
【００４４】
さらに、連結バー５２ｄは、第２延伸部５２ｃの先端部が接続された幅狭部と、それよりも裏面側に設けられた幅広部と、を有することができる（図３参照）。これにより、所定の光出射部５２ａに対応して配置された第２光源グループからの光が隣接する他の光出射部５２ａにまで伝搬することを効果的に抑制することができる。つまり、第２光源３２からの光の一部は、光出射部５２ａ、第１延伸部５２ｂ（図４の経路Ｒ２）、第２延伸部５２ｃ（図４の経路Ｒ３）、連結バー５２ｄ（図４の経路Ｒ４）、第２延伸部５２ｃ（図４の経路Ｒ３’）及び第１延伸部５２ｂ（図４の経路Ｒ２’）の内部を伝搬し他の光出射部５２ａまで到達する可能性があるが、連結バー５２ｄに幅広部を設けることにより、幅広部により光路長を長くしてさらに光の伝搬を弱めることができる。
【００４５】
（マスク６０）
マスク６０は、第１透光部５１及び第２透光部５２の表面側に配置されるものであり、横断の可否を表示可能な第１形状の第１表示部６０ａと、残時間を表示可能な第２形状の第２表示部６０ｂと、を有する。つまり、第１光源３１からの光を第１表示部６０ａを介して放出させることにより、横断の可否を示す所望の形状に点灯することが可能となる。同様に、第２光源３２からの光を第２表示部６０ｂを介して放出させることにより、残時間を示す所望の形状に表示することが可能となる。
【００４６】
本実施形態では、第１表示部６０ａは横断可能を表示する形状に開口した開口部とし、第２表示部６０ｂは縦方向に複数の開口部を並ばせた形状としている。第２開口部５０ｂのそれぞれは各光出射部５２ａに対応するように位置決めされている。さらに、より高品質な表示ができるように、第２表示部６０ｂの外縁は、第２透光部５２の光出射部５２ａの外縁よりも内側に位置するように構成している。第２開口部５０ｂのそれぞれの形状は限定されないが、ここでは矩形としている。
【００４７】
マスク６０は、第１表示部６０ａ及び第２表示部６０ｂ以外の部分が、第１光源３１及び第２光源３２からの光を遮光できるように構成されている。その材料は限定されないが、本実施形態では暗黒色のABS樹脂を用いた。
【００４８】
本実施形態では、第１表示部６０ａ及び第２表示部６０ｂを開口部で構成したが、第１表示部６０ａ及び第２表示部６０ｂを開口させずに透光領域とすることもできる。例えば、マスク６０全体を透光部材で形成し、第１表示部６０ａ及び第２表示部６０ｂを除く領域が遮光可能なように暗黒色のシートを貼り付けることもできる。
【００４９】
（カバー７０）
カバー７０は、マスク６０の表面側に配置されるものである。本実施形態では、カバー７０にＰＣを用いた。ただし、第１透光部５１及び第２透光部５２と異なり、カバー７０には拡散材は含有されていない。つまり、カバー７０は白濁色の半透明ではなく無色透明となっている。これにより、観察者がマスク６０の第１表示部６０ａ及び第２表示部６０ｂの外縁を明確に認識できるので、高品質な表示が可能な歩行者用信号ユニットとすることができる。
【００５０】
（その他）
歩行者用信号ユニット１００は単体で用いることもできるが、通常は、上下に歩行者用信号ユニット１００を２つ並べて１つの歩行者用信号機として用いられる。この場合、例えば、上方の歩行者用信号ユニットの第１表示手段を横断不可の表示が可能なものとし、下方の歩行者用信号ユニットの第１表示手段を横断可能の表示が可能なものとすることができる。
【００５１】
歩行者用信号ユニット１００を２つ用いて１つの歩行者用信号機とする場合、１つの歩行者用信号ユニットにおいて、第１表示手段が点灯しているときに第２表示手段を点灯させることができる。他にも、一方の歩行者用信号ユニットの第１表示手段が点灯し他方の歩行者用信号ユニットの第１表示手段が消灯しているときに、一方の歩行者用信号ユニットの第２表示手段を消灯し他方の歩行者用信号ユニットの第２表示手段を点灯させることもできる。
【符号の説明】
【００５２】
１００…歩行者用信号ユニット
１００ａ…第１表示手段
１００ｂ…第２表示手段
１０…ケース
２０…基板
３１…第１光源
３２…第２光源
４０…筺体
４０ａ…導光領域
４０ｂ…切欠部
４１…枠部
４２…分割部
４３…支持部
４４…突起部
４５…固定部
５１…第１透光部
５２…第２透光部
５２ａ…光出射部
５２ａ…第１延伸部
５２ｃ…第２延伸部
５２ｄ…連結バー
６０…マスク
６０ａ…第１表示部
６０ｂ…第２表示部
７０…カバー
【図１】
0005823748.tif 000002
【図２】
0005823748.tif 000003
【図３】
0005823748.tif 000004
【図４】
0005823748.tif 000005